(57)【要約】【課題】通気抵抗の増大を抑制すること。【解決手段】エアフィルタ１０は、可撓性の濾材シートを襞折りして形成された濾過部１２と、濾過部１２における襞１４の稜線方向Ｘの両端に設けられ、襞１４の並び方向Ｙに沿って延在する一対の端板２０とを備えている。各襞１４のうち濾過部１２の高さ方向Ｚにおいてエアの上流側及び下流側に位置するものをそれぞれ山部１４ａ及び谷部１４ｂとするとき、各端板２０には、並び方向Ｙにおける各山部１４ａの変位を規制する規制壁部２１が設けられており、濾過部１２における各山部１４ａ以外の他の部分は、各端板２０に対して並び方向Ｙにおいて相対変位可能に配置されている。【選択図】図１
2020069426.tif 000002
【特許請求の範囲】
【請求項１】
可撓性の濾材シートを襞折りして形成された濾過部と、
前記濾過部における襞の稜線方向の両端に設けられ、前記襞の並び方向に沿って延在する一対の端板と、を備え、
前記襞の各々のうち前記濾過部の高さ方向においてエアの上流側及び下流側に位置するものをそれぞれ山部及び谷部とするとき、
前記端板の各々には、前記並び方向における前記山部の各々の変位を規制する規制部が設けられており、
前記濾過部における前記山部の各々以外の他の部分は、前記端板の各々に対して前記並び方向において相対変位可能に配置されている、
空調用のエアフィルタ。
【請求項２】
前記濾過部における前記稜線方向の両端のうち前記並び方向の両端部が、前記端板に固定されている、
請求項１に記載の空調用のエアフィルタ。
【請求項３】
前記規制部は、前記端板の各々から前記山部の各々に向かって突出する複数の規制突部であり、
前記濾過部の前記山部の各々が前記規制突部の各々に支持されている、
請求項１または請求項２に記載の空調用のエアフィルタ。
【請求項４】
前記規制突部は、前記高さ方向に沿って前記山部から前記谷部にわたって延在する規制壁部である、
請求項３に記載の空調用のエアフィルタ。
【発明の詳細な説明】
【技術分野】
【０００１】
本発明は、空調用のエアフィルタに関する。
【背景技術】
【０００２】
この種のエアフィルタとしては、例えば自動車の空調装置に設けられるものがある（例えば特許文献１参照）。
特許文献１に記載のエアフィルタは、濾材シートを襞折りして形成されたフィルタ基材と、フィルタ基材の襞延長方向の両端部に固着された端板とを有している。端板の内面には、ジグザグ状の組付溝が設けられている。フィルタ基材の上記両端部と端板との固着は、フィルタ基材の襞延長方向の両端部を両端板の組付溝に嵌合した状態で、この嵌合部を熱融着したり、接着したりすることにより行われる。
【先行技術文献】
【特許文献】
【０００３】
【特許文献１】特開２０１３−１３２６３７号公報
【発明の概要】
【発明が解決しようとする課題】
【０００４】
ところで、特許文献１に記載のエアフィルタの場合、フィルタ基材の上記両端部全体が両端板に固定されている。例えば自動車の空調装置においては、外気導入モードと内気循環モードとでエアフィルタの上流側の空調流路が切り替えられる。そのため、モードによってフィルタ基材に対するエアの流入方向が異なることとなる。その結果、例えば外気導入モードのときのエアの流入方向に対してフィルタ基材の通気抵抗が小さくなるようにフィルタ基材の形状が設定されていると、内気循環モードのときには、フィルタ基材の通気抵抗が逆に大きくなるおそれがある。
【０００５】
本発明の目的は、通気抵抗の増大を抑制できる空調用のエアフィルタを提供することにある。
【課題を解決するための手段】
【０００６】
上記目的を達成するための空調用のエアフィルタは、可撓性の濾材シートを襞折りして形成された濾過部と、前記濾過部における襞の稜線方向の両端に設けられ、前記襞の並び方向に沿って延在する一対の端板と、を備え、前記襞の各々のうち前記濾過部の高さ方向においてエアの上流側及び下流側に位置するものをそれぞれ山部及び谷部とするとき、前記端板の各々には、前記並び方向における前記山部の各々の変位を規制する規制部が設けられており、前記濾過部における前記山部の各々以外の他の部分は、前記端板の各々に対して前記並び方向において相対変位可能に配置されている。
【０００７】
同構成によれば、各端板に設けられた規制部によって、襞の並び方向（以下、並び方向）における各山部の変位が規制されており、且つ濾過部における各山部以外の他の部分が、各端板に対して並び方向において相対変位可能に配置されている。このため、濾過部に対してエアが流入すると、濾過部は、濾過部の表面がエアの流れに沿うように各山部を起点として変形する。これにより、濾過部に対するエアの流入方向によらず、フィルタ基材の通気抵抗の増大を抑制することができる。
【０００８】
また、濾過部の各山部については、規制部によって並び方向における変位が規制されているため、山部同士が密着することを防止できる。
【発明の効果】
【０００９】
本発明によれば、通気抵抗の増大を抑制できる。
【図面の簡単な説明】
【００１０】
【図１】一実施形態における空調用のエアフィルタを示す斜視図。
【図２】同実施形態の空調用のエアフィルタについて、濾過部及び一対の端板を離間して示す分解斜視図。
【図３】同実施形態の空調用のエアフィルタの作用を説明する図であって、（ａ）は図１の３−３線に沿った断面図、（ｂ）は、矢印方向からエアが流入しているときの濾過部の状態を示す断面図。
【図４】空調用のエアフィルタにおける端板の変更例を示す斜視図。
【図５】空調用のエアフィルタにおける端板の他の変更例を示す斜視図。
【発明を実施するための形態】
【００１１】
以下、図１〜図３を参照して、本発明を、自動車の空調装置のエアフィルタ（以下、エアフィルタ１０）として具体化した一実施形態について説明する。
図１に示すように、エアフィルタ１０は、平面視四角形状をなす濾過部１２と、濾過部１２の両端に設けられた一対の端板２０とを備えている。
【００１２】
まず、濾過部１２について説明する。
本実施形態の濾過部１２は、長方形状をなす可撓性の濾材シートをその長手方向において等間隔にて襞折りすることにより形成されている。濾材シートとしては、合成樹脂繊維からなる不織布が好ましいが、濾過性能を有するものであれば濾紙などの他の材料を用いることもできる。なお、以降において、濾過部１２における襞１４の稜線の延在方向を稜線方向Ｘとし、濾過部１２における襞１４の並び方向を並び方向Ｙとし、濾過部１２の高さ方向を高さ方向Ｚとして説明する。また、各襞１４のうち濾過部１２の高さ方向Ｚにおいて、エアの上流側及び下流側に位置するものをそれぞれ山部１４ａ及び谷部１４ｂと称する。
【００１３】
次に、端板２０について説明する。なお、一対の端板２０は、互いに同一の形状を有している。
端板２０は、長方形板状をなし、いずれもポリウレタンなどの合成樹脂の発泡体によって形成されている。
【００１４】
図１及び図２に示すように、各端板２０は、濾過部１２における稜線方向Ｘの両端に設けられ、並び方向Ｙに沿って延在している。端板２０は、濾過部１２の並び方向Ｙの全体にわたって延在している。端板２０は、濾過部１２の高さ方向Ｚの全体にわたって設けられている。
【００１５】
端板２０には、端板２０から濾過部１２に向かって突出する規制壁部２１が設けられている。規制壁部２１は、濾過部１２の高さ方向Ｚに沿って山部１４ａから谷部１４ｂにわたって延在している。規制壁部２１は、端板２０の並び方向Ｙに互いに間隔をおいて複数（本実施形態では７つ）設けられている。なお、端板２０と規制壁部２１とは、射出成形により一体形成してもよいし、別体として形成した後に互いに固着してもよい。
【００１６】
図１に示すように、各端板２０の規制壁部２１同士を稜線方向Ｘにおいて対向するように各端板２０を配置した状態において、各規制壁部２１の上端部２１ａに対して濾過部１２の襞１４の山部１４ａの裏面が支持されるように濾過部１２が載置されている。また、濾過部１２における稜線方向Ｘの両端のうち、並び方向Ｙの両端部と規制壁部２１との対向面同士が接着剤を介して固定されている。
【００１７】
次に、本実施形態の作用について説明する。
図３（ａ）に示すように、濾過部１２の各山部１４ａは、各規制壁部２１の上端部２１ａに支持されている。このため、各山部１４ａは、規制壁部２１によって並び方向Ｙにおける変位が規制されている。一方、濾過部１２の各山部１４ａ以外の他の部分は、各端板２０に対して並び方向Ｙにおいて相対変位可能に配置されている。
【００１８】
ここで、例えば図３（ｂ）に示すように、濾過部１２に対して矢印方向からエアが流入すると、濾過部１２は、濾過部１２の表面がエアの流れに沿うように各山部１４ａを起点として変形する。
【００１９】
次に、本実施形態の作用効果について説明する。
（１）エアフィルタ１０は、可撓性の濾材シートを襞折りして形成された濾過部１２と、濾過部１２における襞１４の稜線方向Ｘの両端に設けられ、襞１４の並び方向Ｙに沿って延在する一対の端板２０とを備えている。各端板２０には、並び方向Ｙにおける各山部１４ａの変位を規制する規制壁部２１が設けられており、濾過部１２における各山部１４ａ以外の他の部分は、各端板２０に対して並び方向Ｙにおいて相対変位可能に配置されている。
【００２０】
こうした構成によれば、上記作用を奏することにより、濾過部１２に対するエアの流入方向によらず、フィルタ基材の通気抵抗の増大を抑制することができる。
また、濾過部１２の各山部１４ａについては、規制壁部２１によって並び方向Ｙにおける変位が規制されているため、山部１４ａ同士が密着することを防止できる。したがって、通気抵抗の増大を抑制できる。
【００２１】
（２）濾過部１２における稜線方向Ｘの両端のうち並び方向Ｙの両端部が、端板２０に固定されている。
こうした構成によれば、濾過部１２における各山部１４ａ以外の他の部分を各端板２０に対して並び方向Ｙにおいて相対変位可能に配置しながらも、濾過部１２と各端板２０とが固定される。このため、濾過部１２と各端板２０とが分離されないことから、空調装置に対するエアフィルタ１０の組み付け作業が煩雑になることを抑制できる。
【００２２】
（３）エアフィルタ１０は、各端板２０から各山部１４ａに向かって突出する複数の規制壁部２１を有し、濾過部１２の各山部１４ａが規制壁部２１の各々に支持されている。
こうした構成によれば、各端板２０から各山部１４ａに向かって突出する規制壁部２１によって各山部１４ａが支持されることにより、並び方向Ｙにおける各山部１４ａの変位を規制することができる。したがって、規制壁部２１を有する端板２０を容易に具現化することができる。
【００２３】
（４）規制壁部２１は、高さ方向Ｚに沿って山部１４ａから谷部１４ｂにわたって延在している。
こうした構成によれば、規制壁部２１によって隣り合う山部１４ａ同士が密着することを阻止できることに加えて、隣り合う谷部１４ｂ同士が密着することを阻止できる。このため、濾過部１２の通気抵抗が増大することを抑制できる。
【００２４】
＜変更例＞
上記実施形態は、例えば以下のように変更することもできる。上記実施形態及び以下の変更例は、技術的に矛盾しない範囲で互いに組み合わせて実施することができる。
【００２５】
・本発明に係る規制部は、上記実施形態において例示した規制壁部２１に限定されない。他に例えば、図４に示すように、各規制壁部１２１が端板２０同士を連結する構成であってもよい。こうした構成によれば、稜線方向Ｘの中間部の山部１４ａ同士が密着することを防止できる。また、端板２０同士が連結されていることにより、エアフィルタの剛性を高めることができる。また、図５に示すように、各端板２０から各山部１４ａに向かって突出する柱状の規制突部２２１であってもよい。
【００２６】
・規制部は、各端板２０に突設されるものに限定されない。例えば、襞１４の山部１４ａのみを各端板２０に固定する接着材によって構成してもよい。
・図４に示す変更例などにおいては、濾過部１２が端板２０に固定されていなくてもよい。
【符号の説明】
【００２７】
１０…エアフィルタ、１２…濾過部、１４…襞、１４ａ…山部、１４ｂ…谷部、２０…端板、２１，１２１…規制壁部、２１ａ…上端部、２２１…規制突部。
【図１】
2020069426.tif 000003
【図２】
2020069426.tif 000004
【図３】
2020069426.tif 000005
【図４】
2020069426.tif 000006
【図５】
2020069426.tif 000007